(57)【要約】【課題】消火器を搭載する際に、消火器ノブの位置をシートとの干渉を防止できる向きに確実に取付けることができること。【解決手段】円筒状に形成された本体２１０の上部に噴射機構２２０を有する消火器２００を着脱自在に搭載するための車両用消火器搭載装置１０において、車両のフロアＦに固定されるベース部材１１と、ベース部材１１に設けられ、消火器２００の本体２１０の外周を着脱自在に保持する保持部１３と、ベース部材１１の一端側に設けられ、上記消火器の底面側へ延設された位置決め部１２と、ベース部材１１の他端側に設けられ、噴射機構２２０に係合し、消火器２００の中心軸Ｃ廻りの回転位置を規制する角度規制部２０とを備えていることを特徴とする。【選択図】      図１
2007143638.tif 000002
【特許請求の範囲】
【請求項１】
円筒状に形成された本体の上部に噴射機構を有する消火器を着脱自在に搭載するための車両用消火器搭載装置において、
車両のフロアに固定されるベース部材と、
上記ベース部材に設けられ、上記消火器の本体の外周を着脱自在に保持する保持部と、
上記ベース部材の一端側に設けられ、上記消火器の底面に当接し上記ベース部材に対する上記消火器の中心軸方向の取り付け位置を規定する位置決め部と、
上記ベース部材の他端側に設けられ、上記噴射機構に係合し、上記消火器の中心軸廻りの回転位置を規制する角度規制部とを備えていることを特徴とする車両用消火器搭載装置。
【請求項２】
上記噴射機構は、上記本体の中心軸から所定寸法離間した位置に形成された係合面を有し、
上記角度規制部は、上記本体が所定の位置に設置された場合に上記本体の中心軸から上記所定寸法だけ離間し、かつ、上記係合面に平行な斜辺を有していることを特徴とする請求項１に記載の車両用消火器搭載装置。
【発明の詳細な説明】
【技術分野】
【０００１】
本発明は、車両内に消火器を搭載するための車両用消火器搭載装置に関し、特に消火器の消火器ノブを所定方向に位置決めすることで消火器ノブとシートとの干渉を防止できるものに関する。
【背景技術】
【０００２】
乗用車に消火器を搭載する場合には、図５に示すような車両用消火器搭載装置１００が用いられる。車両用消火器搭載装置１００は、図６及び図７に示すように、シート３００の直ぐ前方に取り付けられることが多い（例えば、特許文献１参照）。なお、消火器２００は一般的に、消火液剤を収容する円筒状の本体２１０と、本体２１０の上部に設けられ消火液材を噴出するための噴射機構２２０とを備えた構造となっている。噴射機構２２０は、本体２１０と連結され、ホースと消火器ノブ２２２とを分岐するための分岐部２２１と、分岐部２２１の上部に設けられ、使用の際に握る消火器ノブ２２２と、消火液材を噴出する消火器噴射口２２３とを備えている。分岐部２２１は、本体２１０の中心軸Ｃを通らない一対の平行な平行面（係合面）２２１ａを有している。平行面２２１ａは本体２１０の中心軸Ｃから所定寸法だけ離間した位置に形成されている。
【０００３】
車両用消火器搭載装置１００は、フロアＦに固定されるベース部材１０１と、このベース部材１０１の一端から延設され消火器２００の底部に当接し上記ベース部材に対する上記消火器の中心軸方向の取り付け位置を規定する位置決め部１０２と、ベース部材１０１に設けられ、消火器２００の本体２１０の外周を止める着脱自在の保持部１０３とを備えている。
【０００４】
シート３００は、シートスライド機構３１０により車両の前後方向に往復動自在に取り付けられている。シートスライド機構３１０は、フロアＦに固定されたガイドレール３１１と、このガイドレール３１１に案内された往復動するスライドレール３１２とを備えている。図６中３１３は、ガイドレール３１１とスライドレール３１２との固定を解除するためのハンドルを示している。
【特許文献１】実開昭６３−８９８６８号公報（第１図〜第４図）
【発明の開示】
【発明が解決しようとする課題】
【０００５】
上述した車両用消火器搭載装置では、次のような問題があった。すなわち、ベース部材１０１に対する消火器２００の中心軸方向の取り付け位置は規制されているものの、中心軸廻りの回転位置は規制されていない。このため、ユーザが消火器２００を車両用消火器搭載装置１００に取り付ける際に、消火器２００の回転位置が設計者の意図した向きに必ずしも固定しない場合があった。このため、図６中二点鎖線Ｑで示すように、消火器ノブ２２２がフロアＦに対して垂直になるように固定されることがあり、シート３００を前後させる際に、消火器ノブ２２２に干渉する虞があった。このため、シートスライドの妨げになる上、最悪の場合、消火器ノブ２２２が破損する虞があった。
【０００６】
一方、消火器ノブ２２２との干渉を避けようとするとシート３００のレイアウトの自由度が少なくなったり、ユーザの脚に消火器ノブ２２２が干渉し危害感を感じる等の問題もある。
【０００７】
そこで本発明は、消火器を搭載する際に、消火器ノブ等の噴射機構の位置をシートとの干渉を防止できる向きに確実に取付けることができる車両用消火器搭載装置を提供することを目的としている。
【課題を解決するための手段】
【０００８】
前記課題を解決し目的を達成するために、本発明の車両用消火器搭載装置は次のように構成されている。
【０００９】
上記の課題を解決する第１の発明に係る車両用消火器搭載装置は、円筒状に形成された本体の上部に噴射機構を有する消火器を着脱自在に搭載するための車両用消火器搭載装置において、車両のフロアに固定されるベース部材と、このベース部材に設けられ、上記消火器の本体の外周を着脱自在に保持する保持部と、上記ベース部材の一端側に設けられ、上記消火器の底面に当接し上記ベース部材に対する上記消火器の中心軸方向の取り付け位置を規定する位置決め部と、上記ベース部材の他端側に設けられ、上記噴射機構に係合し、上記消火器の中心軸廻りの回転位置を規制する角度規制部とを備えていることを特徴とする。
【００１０】
上記の課題を解決する第２の発明（請求項２に対応）に係る車両用消火器搭載装置において、上記噴射機構は、上記本体の中心軸から所定寸法離間した位置に形成された係合面を有し、上記角度規制部は、上記本体が所定の位置に設置された場合に上記本体の中心軸から上記所定寸法だけ離間し、かつ、上記係合面に平行な斜辺を有していることを特徴とする。
【発明の効果】
【００１１】
請求項１に記載された発明によれば、消火器を搭載する際に、消火器ノブ等の噴射機構の位置をシートとの干渉を防止できる向きに確実に取付けることが可能となる。
【００１２】
請求項２に記載された発明によれば、消火器の係合面を用いることで容易に消火器の回転方向の位置決めを行うことが可能となる。
【発明を実施するための最良の形態】
【００１３】
本発明に係る車両用消火器搭載装置の一実施形態について、図１から図４を用いて説明する。図１は本発明の一実施の形態に係る車両用消火器搭載装置に消火器を搭載した状態を示す斜視図、図２は同車両用消火器搭載装置に消火器を搭載した状態を示す正面図、図３は同車両用消火器搭載装置を示す斜視図、図４は同車両用消火器搭載装置を示す正面図である。なお、消火器２００は図５に示すものと同型であるため、同一符号を付し、詳細な説明は省略する。
【００１４】
車両用消火器搭載装置１０は、フロアＦに固定されるベース部材１１と、ベース部材１１の一端側から延設され消火器の底部に当接しベース部材に対する消火器の中心軸方向の取り付け位置を規定する位置決め部１２と、ベース部材１１の中途部に設けられ、消火器２００の本体２１０の外周を止める着脱自在の保持部１３と、ベース部材１１の他端側に設けられ、噴射機構２２０に係合し、消火器２００の中心軸Ｃ廻りの回転位置を規制する角度規制部２０とを備えている。
【００１５】
図２及び図４に示すように、角度規制部２０は、ベース部材１１側から消火器２００の管部２２１側に延びるメイン部材２１と、このメイン部材２１から平行面２２１ａに外接する直線状の斜辺を有する斜辺部材２２と、さらに斜辺部材２２から図２中上方に延びる係止部材２３とを備えている。斜辺部材２２の斜辺は、本体２１０が所定の位置に設置された場合に本体２１０の中心軸Ｃから所定寸法δだけ離間し、かつ、平行面２２１ａに平行である。
【００１６】
このように構成された車両用消火器搭載装置１０では、消火器２００を取り付けようとした場合、最初に、消火器２００の底部２１１を位置決め部１２に引っ掛ける。次に、噴射機構２２０を角度規制部２０側に倒してゆく。このとき、斜辺部材２２を分岐部２２１の平行面２２１ａに当接させると、本体２１０の中心軸Ｃがベース部材１１と平行となり、保持部１３を止めることができる。斜辺部材２２を平行面２２１ａに当接させない場合、噴射機構２２０側が浮き上がり、本体２１０の中心軸Ｃとベース部材１１とが平行とならず、保持部１３を止めることができない。このため、ユーザが消火器２００を車両用消火器搭載装置１０に搭載しようとする場合には必ず斜辺部材２２を分岐部２２１の平行面２２１ａに当接させるように取り付けるため、消火器ノブ２２２が所定方向に向くことになる。
【００１７】
なお、噴射機構２２０の平行面２２１ａは両側にあるが、消火器ノブ２２２を１８０度逆方向に向けて斜辺部材２２と平行面２２１ａとを当接させて取り付けようとした場合、消火器噴射口２２３が係止部材２３に当接するため本体２１０の中心軸Ｃとベース部材１１とが平行にならず、保持部１３をとめることが出来ないため、ユーザは容易に取付け方向が逆向きであることに気づくことができる。
【００１８】
上述したように、本実施の形態に係る車両用消火器搭載装置１０によれば、消火器２００を搭載する際に、消火器ノブ２２２の位置をシートとの干渉を防止できる向きに確実に取付けることが可能となる。このため、シート３００を前後させる際に、消火器ノブ２２２に干渉する虞がなく、シートスライドの妨げにならない。また、消火器ノブ２２２が破損する虞が無くなる。さらに、消火器ノブ２２２との干渉を避けようとするとシートのレイアウトの自由度を大きくできるとともに、ユーザの脚に消火器ノブが干渉することがなく、安心感が得られる。
【００１９】
なお、位置決め部１２及び角度規制部２０はベース部材１１の一部を折曲して形成してもよく、また、別体で設けたものをネジ止めや溶接によって一体化するようにしてもよい。
【００２０】
なお、本発明は前記実施の形態に限定されるものではなく、本発明の要旨を逸脱しない範囲で種々変形実施可能であるのは勿論である。
【図面の簡単な説明】
【００２１】
【図１】本発明の一実施の形態に係る車両用消火器搭載装置に消火器を搭載した状態を示す斜視図。
【図２】同車両用消火器搭載装置に消火器を搭載した状態を示す正面図。
【図３】同車両用消火器搭載装置を示す斜視図。
【図４】同車両用消火器搭載装置を示す正面図。
【図５】一般的な車両用消火器搭載装置に消火器を搭載した状態を示す斜視図。
【図６】同車両用消火器搭載装置とシートとの位置関係を示す側面図。
【図７】同車両用消火器搭載装置とシートスライダとの位置関係を示す平面図。
【符号の説明】
【００２２】
１０…車両用消火器搭載装置、１１…ベース部材、１２…位置決め部、１３…保持部、２０…角度規制部、２１…メイン部材、２２…斜辺部材、２３…係止部材、２００…消火器、２１０…本体、２２０…噴射機構、２２１…分岐部、２２１ａ…平行面（係合面）、２２２…消火器ノブ、２２３…消火器噴射口。
【図１】
2007143638.tif 000003
【図２】
2007143638.tif 000004
【図３】
2007143638.tif 000005
【図４】
2007143638.tif 000006
【図５】
2007143638.tif 000007
【図６】
2007143638.tif 000008
【図７】
2007143638.tif 000009